(57)【要約】      （修正有）【課題】従来の技術・法則を超えて、電磁気力がプラスマイナス四方向同時一体として動く電動機モータを具現する。発電機が発電する際に、半分が熱で損をする原因を現し、且つ駆動モータが駆動する際にも半分が熱損で逃げる電力エネルギーを有効に使用して、発電抗力を無くし、力損・熱損の無い電動モータを具現する。【解決手段】発電機で発電するプラスマイナス一相以上の電気を、配線を使いｎ分割し、分割した分だけ、電磁気力エネルギーをｎ倍化し引き出し有効利用する分割配線方法を使って、発電機も熱損と力損がなくし、高速回転も容易とする。常温超伝導電機子により、発電機は従来の構造規模のままで、配線をｎ数に細分割し、モータの発電駆動能力を、ｎ数倍とするモノポール構造とする。【選択図】なし【特許請求の範囲】
【請求項１】
電気絶縁皮膜した鉄板の合板で形成する励磁磁鉄に、電気絶縁皮膜した良電導体線をコイルとして巻き、上記良電導体線コイルの一端と他端を電極とするソレノイドコイルを少なくとも一体を構築する。ソレノイドコイルの励磁磁鉄両端に隙間を隔ててソレノイドコイルと同平面状に磁石を他体として置き、双磁極Ｎ・Ｓを交互に平面状を回転移動させ、発生する交番磁界による磁束を、ソレノイドコイル励磁磁鉄内に交互に交番磁束として流させる。この二体間の電磁気力相互作用によりソレノイドコイルに交番電流を発生させる電磁気力モータの電機子において、コイル中間を切断し、新たな二つの電極を構成し、この電極間の電力で仕事をさせる単磁極電機子対。発電機電機子コイルが双磁極Ｎ・Ｓに直列で跨る双磁極電機子に対し、Ｎ・Ｓそれぞれの磁極の、単磁極コイルの対で形成する単磁極電機子対。及び上記少なくとも一つの単磁極電機子対の同相コイルを並列に結線する単磁極電機子対電磁気力並列回路。
【請求項２】
請求項１の少なくとも一つの単磁極電機子対で構成する電機子・発電機・電動モータに於いて、同磁極同相の電機子コイル柱群の電線の結線が同相間並列結線である単磁電機子対発電・電動モータ
【請求項３】
発電機のＮ−Ｓ二磁極にまたがる、少なくとも±二相の少なくとも１柱の電機子コイル配線の一端が±Ｕ相の電極の端子であり、他端の逆相の極が±電機子コイルの中間でつながる閉鎖回路であるスター回路、或いはデルター回路を開放し、プラスマイナス四相と電極を倍化する、請求項１の単磁極電機子対を具備し、対の単磁極電機子電極の一端が、双磁極電機子としての閉鎖回路を形成しない、解放回路である単磁極電機対で構成する発電機及び電動機の特許請求項２のモータにおいて、少なくとも一つの単磁極電機子の電線の両端が全波整流子と結線し、全波整流子よりプラスとマイナスの直流電気を入出力する整流機構を具備する請求項２の電動モータ。及び直流電気を出力する直流発電機。
【請求項４】
電動モータの回転子と固定子の二体が円から解放され、平行線上に構築されるリニアモータに置いて、リニアモータ電機子が、特許請求の範囲１の単磁電機子対で構成されるリニアモータ。及び単磁電機子が励磁磁鉄で繋がっている単磁電機子対であるリニアモータ。
【請求項５】
単磁電機子対で構成される請求項４のリニアモータにおいてリニアモータ発電機とリニアモータ電動機を少なくとも一組具備する単磁極電機子対発電・電動リニアモータ。
【請求項６】
単磁電機子対で構成するリニアモータの、電磁相互作用装置が、上下か左右で対である移動子と固定子の磁石取り付け位置が、二体の電磁相互作用する隙間において、且つ、走行方向に直行する横断面に於いて、移動子が０字の位置でありであり、固定子が０字型かあるいは長方形の中心に近いいずれかの位置か、或いは全てである単磁電気子対リニアモータ曲線移動装置。
【発明の詳細な説明】
【発明の詳細な説明】
【技術分野】
【０００１】原子力に次ぐエネルギーで有る電磁気力による相互作用モータ
【背景技術】
【０００２】物性物理の世界では、物質が、重力、弱い力、電磁気力、核力と四つの力があることは知られている。これら四つの力が互いに相互作用しない、閉じているとする法則はゲージ理論としても知られている。人間の考える法則には自然現象を現わせない限界が有る。発明は自然現象を利用するのであるから、法則を超える可能性が有る。法則を超える核力については、アインシュタインの特殊相対性理論で、ガリレヲの落体の原理の数式を、質量を光速度に置き換えることにより計算する便法が有る。光速度絶対によるエネルギー計算の便法で有る。基数１を重力１から光速度１に摩り替える、基数１があいまいな数理の便法で在る。重力１から光速度１に変わる自然の真理を表す法則はゲージ理論のごとく認識されていないことがわかる。核力にいたる四つの力の相互作用を求めるために、アインシュタインは一般相対性理論として  四つの力の統一理論を追求しているが、曲率と直線の数学上の統一が為されていない。物理学上のこの一般性相対論なる理論も円周率と言う曲率を使用しているため、統一は完成していない。このために、帰納法としての経験主義的便法で核力を扱うより方法が無く、経験不足の失敗の積み重ねにより、原子の外に出た自由電子の放射能により、いまや人類は、絶滅の危機に直面している。地震の巣の上に５４機もの原子力発電所を構築するという、誰が考えても解かりそうな、誤りを犯かしているので有る。相対論と二次関数の基数１がシーソーの上で二つ存在する不安定な理論、経験主義によるアインシュタインのいい加減な一般性相対論に拠る責任は重い。アインシュタインは原子爆弾を作る大量殺人を指揮したのみならず、神の領域に土足で踏み込むごとき、幼稚な一般相対性理論に因る無責任な神を侮辱する核力の扱いを勧めた。このためによる人類の自滅は免れない。今や日本はいたるところで放射能が降り積もり、自滅にもっとも近い標本的立場としてある。また核力に近いエネルギーを持つ電磁気力も、３５０年も前の重力場内の系で在る熱エネルギーの法則、エネルギー保存則に縛られ、重力場の枠を一歩も出られない。このための石化エネルギー消費による地球温暖化は、大陸上の氷を溶解させている。この永久凍土の溶解、南極の氷床の溶解により海面を４５Ｍも押し上げ、人類の文明を破壊する方向に向かっている。【０００３】従来の電磁気力の具現は発電と駆動が同時に背中合わせで発生し、発電をすれば発電抗力が発生し、駆動すればモータ内部で自己誘導発電し、発電抗力が発生する。フレミングの発電と駆動の左右の手の法則により、電磁気力三方向のうち、二方向が順方向とすると他方行が逆になり、打ち消しあう。この打消しにより、系である重力場の空間はエネルギー保存則の状態として閉じている。ゲージ理論を越えられないゆえんである。【０００４】従来の発電駆動方法の第１は  回転子と固定子の二体を、一体をＮ・Ｓ二極の磁石とし、他体を励磁磁鉄に巻かれた良電導体コイルで形成する電機子とし、この二体の相対移動により、電機子コイルに交番発電させる発電方法及び発電機である。また駆動モータは上記二体モータ発電機の一体である電機子に交番電流を外部から印加し、発生する磁力により、他体のＮ・Ｓ二極の磁石に駆��力を与えている。この結果駆動モータの電機子コイルに自己誘導発電し発生した電気により、二次的に電機子が磁石となる。これは発電機においては発電抗力となり、駆動モータにおいては、回転をあげると共にトルクを減じる力損の原因となっている。【０００５】従来の発電駆動方法の第２は、電機子コイル磁極Ｎ，Ｓ二極で発生した電圧のプラスとマイナスの互いの逆相の電流が短絡し流れることにより、閉鎖回路内で最大の電磁気力を浪費、発熱し熱損が発生する。これら電磁気力の損により、発電及び駆動の入力エネルギーの大半が熱損として失われる。従来の発電機発電抗力に対する対策は、発電抗力を発電時の残留磁気と解釈し、電機子の間に別の駆動用電機子を具備し発電抗力を打ち消そうとする補巻き電機子コイルを具備したものなどであるが、発電促進効果はあまり期待されない。熱損などは、大型発電機モータコイルが熱損で焼けるために、良伝導体線をパイプ状にして中に冷却水を通すなどして熱でコイルが焼ききれるのを防いでいる。発熱エネルギー損の基本的元で在る発熱の原因究明および対策はなされていない。エネルギー保存則が敗れない由縁である。【０００６】従来の発電機、駆動方法の第３はモータの電機子コイルは一端を入・出力端子とし他端をスター回路かデルター回路として閉鎖回を形成し直結している。このため閉鎖回路内で違う相の電気同士が短絡状態となり、入力エネルギーの大半が熱損となる。また発生する磁束による磁気が第１の抗力ともなり、力損となる。【０００７】従来の発電駆動方法の第４は、それぞれ位相の違う相を一単位極として複数の単位極を形成する際に、同じ位相の電機子同士を磁極の向きと巻き線方向を同じくする直列とする結線をしている。これの発電により発生する磁束が第二の抗力の元、残留磁気発生の原因となっている。また同相間の発熱の原因ともなっている。【０００８】多相電動機の電機子結線が、閉鎖回路であり、且つ同相間の結線が直列結線である。このため電磁気力が直列回路でプラスの電圧とマイナスの電圧が短絡し浪費され、閉鎖回路で異相間の電気が熱損浪費されている。【０００９】従来の発電駆動方法の第５は整流子がモータ電機子電極１端に対し１整流子である。このため電極の他端に閉鎖回路が構成されている。また同相間の接続も単回路直列結線となっている。【００１０】電動機の発電と駆動の電磁気力が背中合わせに同時に作用する二面性が在る。これは電磁気力の三方向と電気入出力方向を加えた四方向が、発電と駆動の同時発生では、少なくとも一つの方向が互いを打ち消す方向に在る。これが入力より出力が超えない、エネルギー保存則の立脚する根拠であり、また四つの力が相互作用しなく、閉じているというゲージ理論の根拠でも在る。この誤りを正す。【００１１】一体と他体からなるモータにおいて、一体の電機子コイル１／２に電気を入力し、磁界を作り、他体を励磁誘導し、残りの１／２の電機子コイルにコンデンサーで磁界を遅らせる電流を流し、回転磁界を作り回転させる誘導モータの電機子コイルは重ね巻きで在る。同相間の結線は直列結線である。他相間の結線もスター回路かデルター回路の閉鎖回路で在る。最近の日立誘導モータでは電機子多柱同相回路が重ね巻きの直列結��で、異相間の閉鎖回路は、１００Ｖ単相は開放回路としたモータも在るが、モータ外部での指定する所謂二相２００Ｖ結線の配線図は、閉鎖回路結線方法となっている。またモータ内のコンデンサーを使用する補助コイル重ね巻きも閉鎖回路であり、回転子籠の配線も閉鎖回路で有る。これにより自己誘導発電による励磁損・熱損・力損が発生し熱を逃すファンが必要である。エネルギー効率も大半が熱損で損なわれる。単磁電機子対の開放回路思想は誘導モータには無い。電力供給側の供給電力が１００Ｖ単相で供給されているので、解法回路のごとく見えるが二つのコイルが直列結線され、閉鎖回路であり必ずマイナス側の逆相がどこかで消費されなければ、この１００Ｖ単相モータは駆動しないという独立性の無いモータである。電力供給側が二相とする２００Ｖ電源は二相ではなく正しくない。【００１２】学問としても、１００Ｖは単相で２００Ｖは二相としているが、この表現、名称は誤りである。電気の相は位相で表現するものである。位相の違う、たとえば  三相であれば、Ｕ，Ｖ，Ｗとそれぞれ位相が違う。家庭に配電されている所謂二相は、実際には、相としては同じであり、電圧の向き、電気の極性がプラスマイナス逆である。これは二相とは言え無い。電圧逆同相である。これを短絡して、逆相と呼ぶ。【００１２】発電機において、電機子コイル柱数が少ないものは力率が良いと認識されている。しかし、閉鎖回路と複数の柱を直列結線、或いは単線で重ね巻きしている電機子には単磁電機子対の思想は無い。整流機構については、双磁極電機子入出力端子においてのみ整流されている。【００１３】電機子のコイルを極低温に冷却し、電気抵抗をなくした超伝導を利用し、磁極を構成するリニアモータに於いても、電機子は双磁電機子で有る。超伝導電機子も双磁極電機子であり、双磁極電機子直列通電による短絡ショートによる熱損・力損は避けられない。超伝導の電機抵抗ゼロによる電力消費ゼロは自己誘導発電により、従来のリニアモータにおいては絵に描いたもちである。実際は誘導電力により磁極を作る極低温コイルにプラスマイナスの自己誘導発電がおき、短絡ショートし、発熱するのである。このために、極低温冷却装置を冷却するための厖大な電力を必要としている。【００１４】固定子と回転子の二体からなる電動機の断面形状を、円から解放し、平行線とするリニアモータに於いて。駆動させると、自己誘導発電が起こり、発電抗力が発生する。このために高速走行になればなるほど発電抗力に対抗するエネルギーがおおきくなると共に、推力も相殺され、推力が無くなる。また、風損と供に磁気抗力が拮抗すると、それ以上の速度が出ない。【００１５】極低温超伝導リニアモータに於いて、極低温電機子を構成するために、重量の重い冷却装置と電力が必要である。Ｎ・Ｓ双磁極間に閉鎖コイルが巻かれ、通電により磁石を構成するとして有るが、現実は二律背反し、コイルに自己誘導発電がおき、内部でプラスマイナスの電気が短絡し、発熱する。このために極低温を維持する厖大な電力を必要としている。この熱損のみならず、自己誘導発電時に発生する磁力により厖大な磁気抗力が起こる。これが有効利用されていない。【００１６】リニアモータを磁気浮上させるのに、限界が有る、また、カーブや上下の移動にも困難が見られる。
【発明が解決しようとする課題】
【００１７】本発明は、相対論とする従来からの帰納法としての経験主義的手探りでの電磁気力の研究開発を近視眼的方法とする。この基数１が定まらなく、※  直線と曲線の統一もされてない、いい加減な、あやふやな相対論をもとにする考え方では、四つの力を統一する物成物理具現は為され獲ない。絶対数で有る整数論の法則を基とする演繹法による宇宙の爆発の法則数理と、宇宙の邂逅の法則で有る曲率と直線の数学上の統一法則を経て、これに由るなりわいである邂逅の原理を実証する具現的装置として、本発明のモータを提供することを最大の課題としている。※デカルトはデカルトの数理に於いて基数１が定まらないと記述している。
【００１８】本発明は、従来において、原子力に近いエネルギーを持つ電磁気力を、自在に取り出すことが出来ない。このゲージ理論により四つの力間で相互作用しない、閉じた法則であるとする思想を改めて、四つの力が相互作用し、重力から核力にいたる自在なエネルギーを取り出すことが出来る実証装置を提供することに、総合的な課題が在る。
【００１９】本発明が  解決しようとする第一の課題は、従来のスター回路やデルター回路の電動モータで発電及び駆動をすると、少なくとも半分が熱となり、熱損となる。また多相の回路の閉鎖回路により多相間で電力が熱浪費される熱損となる。また発生する磁束により発電抗力となり、力を浪費し、力損となる。これにより駆動力自体も相殺しトルク減が発生する。熱損の原因をこのように明らかにし、熱損をなくす常温超伝導構造を提供することを第一の課題としている。
【００２０】本発明が解決しようとする第二の課題は、多相間で電磁誘導発生する磁力の抗力となる原因を明らかにし、発電抗力及び駆動抗力に因る力損をなくす常温超伝導構造を提供することを第二の課題としている。
【００２１】本発明が解決しようとする第三の課題は、回転子と固定子からなる二体モータで発電及び駆動すると、位相の違う多相の電機子コイルを単位柱とする単位柱電機子コイル群で、他の単位柱電機子コイルの同じ相の柱の間で直列結線している。これによる同相間で二次的に誘導発生する磁力により、発電機は発電機を回転させる抗力となり、駆動モータは回転トルクを減ずる抗力となる。電動モータ及び発電機の発電時発生する所謂残留磁気と呼ばれたりする、抗力に因る力損、及び熱損をなくす単磁電機子対の結線及び整流方法を課題としている。
【００２２】複数の単磁電機子コイル柱の間で仕事をさせないで結線し、その後の電圧或いは電流の増減をさせる方法が未決である。これを解決することが課題である。総じて、発電と駆動が同時に電動機内で発生し、フレミングの右手の法則と左手の法則、入力と出力次元と併せプラスマイナス四次元方向が同時に発生作用し、
電磁気力が、発電と駆動と同じ方向が２方向あれば打ち消しあう方向があり、電、磁、気、力、四つの力が閉じているのを、ほぐし解放する思想と装置を提供することを最大の課題としている。回転子と固定子からなる断面形状が円である電動モータの、円を解放し平行線上に固定子と移動体の二体を構築する、リニアモータに於いて。駆動すると、移動体の磁極により、固定子上に並べられ固定された電機子に自己誘導発電が発生する。この発電により抗力が発生する。移動体の進行速度が速くなるにつれ、抗力のエネルギーも増大する。抗力と風損が推力と拮抗する時スピードが限界となる。この抗力をなくすことが第四の課題である。
【００２３】第五の課題は、リニアモータの電機子磁石を、極低温に依る電気抵抗ゼロとする超伝導による電流により磁力を発生させる、電機子に於いて、固定子の二次的に発生する自己誘導発電による磁力により、超伝導コイルに自己誘導発電させ、この閉鎖回路に自己誘導発電した電気がコイル内で短絡し発熱する。同時に抗力が発生する。このために冷却する厖大な電力と、重い  冷却装置が必要である。これを無くすと友に、自己誘導発電する電力を有効利用するのが課題で有る。
【００２４】第六の課題はリニアモータ磁気浮上における、高さに限界があり、軌道曲線にも限界があり、坂を上下するにも限界が有る。これらを解決するのが第六の課題である。
【課題を解決する為の手段】
【００２５】本発明の課題を解決するための手段である総合的思想は、相対論と言うあやふやな見せ掛けの理論ではなく、理路整然とした整数論による爆発の原理であり、曲率と直線の統一の数論を基にする物性物理への応用である。爆発の原理を具体的に述べると、宇宙の爆発により生成される素粒子は、光子なら光子の系で、寸分たがわず等しく分裂しているとすることが第１の素粒子に対する認識による根拠である。虚空に浮かぶ  在るは  有るとも言え  無いとも言え  意味を成さない。等しく分裂し、初めて  他を見て  我を知る。我は宇宙と等価なり。これは宇宙で有る神の意志であり、人間に対して呼びかける神の声です。人間はこれに答えることの出来る唯一の動物で有る。一つの系の分裂は、縦、横、高さ、依ってたつ、土台である±０次元と、四つの方向に等しく分裂し、分裂した物質が邂逅する五つ目の次元と、この一巡する基礎空間の５次元の方向で物質は出来ている。数は分裂で出来るのですから数の始まりは次元です。全宇宙の最初の爆発・一つ目の分裂の力の基は０次元である±重力である、媒介する素粒子は中性子です。二つ目の力の基で有る１次元は泡宇宙の爆発の次元である±弱い力です。媒介する素粒子は、陽子です。三つ目の力の基で有る２次元は銀河の爆発である±電磁気力である。媒介する素粒子は電子です。四つ目の３次元の力の基は太陽の爆発である±核力です。媒介する素粒子は光子で。ここで注意しなければならないのは、これらの素粒子は同じ一つの物体です。考え方として素粒子は※縦、横、高さの三次元方向と、三次元方向と同じ角度を成す総合方向の四つの方向をそれぞれの素粒子の表現回転軸として持ち、四つの軸の回転数がそれぞれ違います。分裂の次元を等しく現すには、最初の次元は、±１の０次元。次の１次元は±１の二乗の４です。３番目の２次元は２の３乗の８ではなく、等しい分裂は、全体の二乗ですから、２の２乗の２乗の４乗である１６となります。四番目の３次元は２に２乗の２乗の４乗の２乗ですから１６乗となります。五番目の邂逅の次元は１６乗の２乗として２５６乗です。これが等しく分裂した素粒子としての核力の重力に対する爆発次元回転数値です。四つの力をそれぞれ正確に表す便法である数式はそれぞれ有るが、統一し四つの力が相互作用するする神の唯一の数理は無い。神の数理は《｛〈〔（±１）±１〕±１〉±１｝±１》
※正確にはプラスマイナス三次元である八像限のプラスマイナス三次元方向と同じ角度を為す四つの総合方向の四つの回転軸。
【００２４】では曲率と直線の統一は、古代ギリシや時代に出された、コンパスと定規で作図する、幾何学上の問題、角度の三等分、円の面積を二倍にする、体積を二倍にする、これら三つの問題が解けない問題として残っていました。直線と曲率の問題としては違うように見える、体積を２倍にする問題は、３次元を扱うことにより円と直線の問題に帰結することを三角関数で発見し、この倍積問題を曲率と直線の解法として解いた。この倍積問題の解法が四つの力の統一の数理であり、この幾何学上の解法が電磁気力の四つの力の相互作用する統一方法であることを発見し、この解法が元で本発明は開発されている。曲率においては、時計で説明すると、円は１２の時間と１２の間が有る。直線は１２の数はあれど、１２の間がない。０と１との間がない。直線で思考する人間の自然観察による表現方法は、必ず基数１が不足するあいまいな思考方法である。０次元の基数１が宇宙の自然界においては絶対基数１である。
【００２５】本発明の第一の課題である熱損を解決する手段は、電力消費を１とすると、半分が発熱して逃げる原因を明らかにすることであり、その後これを解決する装置を電機子コイル巻き線構造、配線方法及び装置として提供することにある。
【００２６】第二の課題である位相の違う、他相間での相互佐用によるエネルギー損失、発電抗力、および熱損をなくすための手段としては、スター回路、或いはデルター回路としてのアースとして閉鎖している結線を解放し、新たな逆相の電極を創設する  単磁極電機子対の結線とすることを手段としている。
【００２７】第三の課題である同相間での結線と整流発線方法は、熱損と発電効力をなくし、物質が元々持っている原子力に近いエネルギーである電磁気力を取り出す方法を阻害する、発電時発生する抗力を無くすと友に、位相を同じくする複数の単磁電極子コイルが単線で直列に結線されているため、結線内で発熱消費しているのを発見し、これを解放し、新たな電極とすることを手段としこれにより熱損を無くす手段としている。且つ直列結線により発生する磁束による磁気抗力が、単磁電機子対間に発生した電気に仕事をさせることにより磁束が無くなり、発電抗力も無くなることを発見し、これにより、入力を消費する抗力によるエネルギー、力損をなくすることが可能となった。熱損のエネルギー損もなくす第三の課題を解決する手段は、同相の単磁極電機子を、直列、並列に繋ぐ手段として、単磁極の電極に、整流器を繋ぎ整流し、その後に、直列、或いは並列に繋ぐことを解決手段とする。並列については整流子を必要とはしないで、結線しても効果は変わらない。
【００２８】第四の課題で有る、固定子と並行する移動子の二体からなるリニアモータにおいて、二体の電磁総互作用により、電機子内での自己誘導発電により発生する磁気抗力をなくす手段を示す。固定子である、励磁磁鉄に巻かれた双磁極コイル上を隙間を隔てて磁石が相対移動すると、固定子双磁極コイルに誘導起電力が発生すると同時に、発電抗力が発生する。この抗力を無くすには、双磁極電機子を短磁電機子対とすることで解決できる。
【００２９】第五の課題で有る、リニアモータ極低温超伝導装置の厖大な冷却装置と消費電力を無くし、自己誘導発電のエネルギーを有効活用する手段は、極低温装置内の双磁極電機子を、単磁極電気子対とすることで、誘導起電力による発熱を防ぐと友に、発電抗力もなくす手段とする。
【００３０】第六の課題で有る、リニアモータがカーブを切たり、登り下りする勾配を移動することが出来ない課題を解決する手段は、カーブを切る場合は、移動体の上下で電磁気力作用させ、上下勾配を移動するには、移動体の横の面の左右で電磁気力相互作用させることを手段とする。
【発明を実施するための形態】
【００３０】本発明の開示である発明の第一の実施の形態は、第一に電力消費すると半分が発熱して逃げる熱損の原因を明らかにすることである。その原因は  交流発電の位相が異なる二相の電気配線内で、或いは±同相間で  互いに電圧の向きが違う電気が閉鎖回路として短絡し、一相分の電気が発熱浪費するのである。この発熱浪費は、熱力学で言う半分は熱で逃げるのが法則とされているが、法則ではなくて単なる構造上の問題である。本発明はこの閉鎖回路による短絡発熱浪費の現象を踏まえ、入力と出力を二相間で行う閉鎖回路を解放し、一方の相も他の相も、それぞれ別入力電源とし、二回線の電力消費とし、それぞれの相の電気出口を大地とするアース線とで±二相の逆相を含む４相の電気配線とする。これはＮ・Ｓ磁気単極電機子対と呼べる。これにより従来の発電機で在るＮ・Ｓ磁気双極電機子の一相と他相が短絡発熱浪費による発生電力の半分のみ有効に使うことしか出来ないものを、倍化して有効消費に電力を変えることが出来る。これにより、熱エネルギー保存の法則は、破れる崖淵に立つので有る。
【００３１】本発明の開示である第二の実施の形態は、モータの位相の違う電機子の結線が、スター回路かデルター回路で結線しているために、異相関で相互作用し、二相の電気が一相分、発熱浪費する、且つ発電抗力の基となる誘導起電力による磁束の流れにより発生する磁気が発電抗力の元と成る。これを解決する実施方法は閉鎖回路をなくし解放回路とすることにより第一の抗力をなくすことと友に。より詳しくは、Ｎ・Ｓ磁気単極電機子対群を使い、それぞれの同相単磁電機子で発電した電力を同相単磁電機子内で消費すれば、電機子励磁磁鉄内に、誘導起電後の磁束が発生しない、従って磁気抗力も発生しない。これを利用することにより発電抗力のない発電機を具現することが出来る。電動機においては、自己誘導発電による抗力も無くせる。発電機においては従来よりも有効なエネルギーを得ることが出来るようになり、駆動モータにおいてはトルクも力損の無い有効駆動力を得ることが出来る。
【００３２】本発明の開示で有る第三の実施の形態は、熱損の少ない電圧や電流を上げるための方法として、単磁電機子結線を直列や並列に繋ぐには単磁気電機子の電極端に整流子を繋ぎ、整流し、その後並列、或いは直列に繋ぐことにより、熱損を防ぐ課題を解決し実施することが出来る。実施は全波整流子を繋ぎ実施した。
【００３３】本発明の開示で有る第四の実施の形態は、移動子と固定子が平行移動するリニアモータに於いて、励磁磁鉄に巻かれたコイルで構成される双磁極電機子上を隙間を隔てて相対移動する磁石により、自己誘導発電で発生する磁気抗力をなくすたに有る。磁気抗力をなくすには単磁極電機子対にすれば可能である。励磁磁鉄鉄板をレール状に路床に敷き、その上に励磁磁鉄にコイルを巻き、コイル一端と他端を結線し、閉鎖回路とする単磁電機子を乗せる。短磁極電機子上を隙間を隔てて磁石が移動し、単磁極電機子コイル内に、発電させ、励磁磁鉄を磁化させる。この誘導リニアモータの電機子ないコイルは電流方向が一定に流れ、発熱しないと友に、磁気抗力も発生しないで、電機子に誘導モータとしての所望の磁極を構成する。
【００３４】本発明の開示である第五の実施の形態は、リニアモータの極低温超伝導電機子に
電流を流し、磁極を構成する装置において、相対移動する磁極により、上記相磁極電機子に、二次的に発生する誘導電力と、この誘導起電力により発生する、磁気抗力と、発熱を無くす実施の形態として、上記双磁極電機子を単磁電機子対に変換することにより、磁気抗力と発熱を無くすことが出来る。双磁極電機子で構成するリニアモータは、相対平行移動する二体の固定子と移動子、により発生する磁極の相互作用する面の逆側の磁極が利用されず、磁気抗力の発生原因でも有ったが。逆側を励磁磁鉄で磁気接続された短磁電機子により、課題である磁気抗力と発熱を無くすことが出来る。
【００３５】本発明の開示である第六の実施の形態は、リニアモータの互いに電磁総合作用する固定子と移動子の隙間の関係において、１ｍｍ程度から出来るだけ狭いほうか良いため、カーブが切れない、上下の勾配が取れない、この問題を解決する実施の形態は、カーブを切る場合は電磁相互作用を上下で行い、隙間の制約から解放
し、のぼりくだりの勾配については、左右の電磁相互作用とし、上下の隙間の制約から解放する。
【実施例】
【００３６】実施例の第一はまず発熱の原因を図１に於いて交流発電の二相の相互作用として説明する。図１は三相及び二相相互作用の電源の電圧と位相の関係グラフ図です。縦方向が電圧であり横方向が発電の磁石とコイルの相対位置を示す位相を図示したものである。位相の違う二相の電力は互いに電圧がプラスマイナスし一相分が消滅し、二相の中間の位相位置に新たな一相が形成される。この消滅した一相分の電力が発熱する。【００３７】上記発熱の原因をなくし発電する方法を図２において説明する。図２は模式図である。絶縁皮膜された鉄板の合板で形成された励磁磁鉄１に絶縁皮膜された良伝導体線コイル２として巻かれ、電機子の一端と他端に隙間をへて、磁極ＮＳが交番すると、電機子コイル一端Ａと他端Ｂに電流＋Ｕと−Ｕが発生する。この二相にそれぞれ電気器具をつなぎ電気器具他端をアースとして繋ぎ消費する。このコイル中間では、発生した電気±Ｕ相の逆相が短絡結合し発熱する。これを防ぎ、電力を有効に使うには、コイル電線中間を切断し新たな電極ＣとＤを形成し、新たな電気の相、逆＋Ｕ相と逆−Ｕを形成する。このそれぞれの新たな電極に電気器具を接続し、それぞれの電気回路端をアースとする。【００３８】実施例の第二は、発電抗力と駆動抗力の実施例として図３を用いて説明する。図は模式図である。３相交流発電機として説明する。絶縁皮膜された鉄板の合板で形成された励磁磁鉄がドーナツ状円盤１に形成され、内側に突起する柱が相数倍在る、それぞれの柱に良伝導体線が巻かれ、電機子を形成している。このコイル一端は出力電極ＵＶＷを形成している、従来のモータはそれぞれのコイル他端をスター回路かデルター回路として短絡結線した閉鎖回路を形成している。本発明は、それぞれの他端を短絡閉鎖回路として形成することなく、解放され、逆相−Ｕ−Ｖ−Ｗとして新たな電極を形成している。それぞれの逆相には電気器具が接続され、電機気具他端はアースに接続されている。【００３９】実施例の第三は、図４を用いて説明する。図は模式図である。絶縁皮膜した鉄板の合板で構成された励磁磁鉄１の少なくとも一つの柱に絶縁皮膜した良伝導体線２が巻かれ、電機子を形成する。励磁磁鉄１の柱の端に隙間を隔ててＮ，Ｓ磁極が交番するモータの図である。図は同じ相のみ描かれているが、実施は何相でもよがい。相が同じで多極である従来のモータの結線は、連続して直列につながれ、線の両端Ａ，Ｂが相の電極となる。本発明はそれぞれの同磁極柱間の電気配線を切断し新たな電極Ｃ，Ｄを新設し、極数分の±電極を新設するモータである。
【発明の効果】
【００４０】本発明の第一の効果は図１・図２を用いて説明する。図１は二相の交流電源を縦軸±の電圧を示し、横軸が時間と位相を現し、中心線が電圧の零圧を図示したものである。ＵＶ二相の位相が三分の一ずれて配電されている。この二相の間に仕別事をさせると、二相の短絡相互作用がプラスマイナスした後の逆相で表示している。ＵＶ２相の波形が１相の−Ｗ相波形となり、１相分がプラスマイナス短絡し無駄に消費されることが分る。次に図２を用いてＵＶこの二相の閉鎖回路を双磁コイル中間の短絡部分で切断し、Ｕ相Ｖ相それぞれ独立させ二回線の単磁コイル電機子対とし、新たな入出力回線とすれば、入出力電源をそれぞれプラスマイナス電源とすることが可能。閉鎖回路で短絡し熱損で浪費することのない、新たな    発電電力獲て１００％有効電力利用することが出来た。
【００４１】本発明の第二の効果は、図３を用いて説明する。上記発明の効果で明らかになったように、磁極の違う単磁極電機子ＵＶＷ同士の結線が従来のスター回路やデルター回路のように短絡閉鎖回路を形成することなく開放し新たな逆相電極を形成し、新たな電極とアース間で電気器具により電力を消費すると、従来の発電により誘導される二次的な磁束と磁力が発電抗力となる。発電エネルギーが、本発明では単磁極電機子対内のそれぞれの単磁電機子内で電力消化され、異磁極間に磁束が流れなくなる。これにより、磁気による発電抗力が、発生しない。発電抗力の無いモータが具現した。
【００４２】発明の第二の発電抗力をなくす効果は図４を用いて行う。図４は模式図である。電機子巻き線の磁極性を同じくする、単磁極電機子の結線が従来では、直列に結線して在る。これにより同じ極の電機子に発生する電気により、二次的に発生する磁束は、異磁極性の単磁極電機子に逆流し結果、二次的な磁束を発生させ、発電抗力の元となる。本発明はこの単磁極同士の直列結線を解放し、新たな二電極とし、このそれぞれの電極と電気器具を良電導線の一方で繋ぎ、他方をアースとする。これによりそれぞれの単磁極電機子内で発生する電気は単磁極電機子内で消化され、二次的な磁束は発生しない、これにより発電抗力の発生をなくし、発電抗力の無いモータが具現した。第一の効果としては、発生した電気は電気器具を通じてそれぞれの逆相に流れるため電圧は倍加する。第二の効果としては、双磁極電機子を単磁極電機子対に変換すると発電抗力が無くなり、入力エネルギーが同じであれば、回転とトルクの積は同じですから回転は極数分上がる。電圧が極数分倍加する。電流の同一モータ総量としては変化しないため、発電機発生エネルギーは極数分倍加する。総じて誘導起電力による磁気抵抗のない常温超伝導モータと呼べる発電機を具現したと  いえる。
【００４３】発明の第三の効果は図５、図６にて行う。単磁極電機子対で構成される電動モータ内の交流電気を、少なくとも一つの単磁極電機子対の電極±一端と±他端に整流子を構成することにより、単磁極電機子対内いで発電する交流電気を直流電機に取り出すことが可能。少なくとも一つの単磁極電機子に半導体群で構成する全波整流器を繋げば、交流電気を直流電機に変換が可能となった
【００４４】本発明の第四の効果はリニアモータ―において、短磁極電機子対を使えば、従来の双磁極電機子による入力エネルギーの半分を発熱させている熱損をなくし、極。低温超伝導コイル内に起こる自己誘導発電に因るを発熱するエネルギーをなくし、同時に発生する磁気効力による力損をなくし、熱損、力損の無い、リニアモータを具現する
【００４５】本発明の第五の効果は、リニアモータの駆動モータの発熱と力損を単磁電機子対で構成することにより、なくす効果があり、スピードも倍加することが可能となった。またリニアモータ発電機を単磁電機子対にすることにより、発電抗力も無くなり、エネルギー損もなくなる効果がある。
【００４６】本発明の第六の効果は、リニアモータの断面形状全周上で電磁相互作用することにより、カーブの時は上下のモータを使い、上り下りの勾配のときは左右のモータを使うことにより、カーブも上下も容易に移動可能となった。
【図面の簡単な説明】
【００４７】１）      励磁磁鉄
２）      コイル
３）      整流子
Ｎ        磁極
Ｓ        磁極
Ａ、Ｂ、Ｃ、Ｄ  電機子各端子Ｕ、Ｖ、Ｗ    交流電気各相
【図１】図１は三相交流のＵ、Ｖ、Ｗのうちの二相の相互作用を表わすものであり、縦方向がプラスマイナスの電圧であり  横方向が周波数とコイルと磁石の位相のずれを顕わすグラフである。Ｕ、Ｖ二相の相互作用により−Ｗ相とＷ相の逆相が１相合成され、他の一相分は熱損として浪費される。
【００４８】
【図２】図２はソレノイドコイル電機子をあらわす模式図である。１は絶縁皮膜された鉄板の合板で構成された励磁磁鉄。２は励磁磁鉄柱に巻かれた絶縁皮膜された良電導体コイル。
【００４９】
【図３】図３はモータの電機子の模式図。点線で表されている１は、絶縁皮膜された板の合板で構成された励磁磁鉄。
【００５０】
【図４】図４は模式図。モータ電機子とＮＳ磁石の模式図。電機子は同磁極単磁電機子の並列回路を切断し単磁極電機子電極端子を極数分増やしたものである。
【００５１】
【図５】図５は模式図。単磁極電機子対電動モータ回転子軸両端に整流子を具備したものである。
【００５２】
【図６】図６は模式図。単磁極電機子の２端子に複数の半導体に因る全波整流器を接続したもの
【図１】
2015073421.tif 000002
【図２】
2015073421.tif 000003
【図３】
2015073421.tif 000004
【図４】
2015073421.tif 000005
【図５】
2015073421.tif 000006
【図６】
2015073421.tif 000007